(57)【要約】【課題】使用者の操作を必要とせず利便性を向上できるとともに、右音声と左音声を両耳に正確に伝えることのできるワイヤレスヘッドホンを提供する【解決手段】右音声の信号と左音声の信号とを含む音声信号Ｐを受信して音声出力部１２から音声を出力するワイヤレスヘッドホン１０において、音声信号Ｐが光信号から成るとともに異なる向きに配されて音声信号Ｐを受信する第１、第２受光部１５、１６を有し、第１、第２受光部１５、１６の受信信号のＳ／Ｎ比を比較して、比較結果に基づいて音声出力部１２から右音声と左音声とを切り替えて出力する。【選択図】図１
2008103827.tif 000002
【特許請求の範囲】
【請求項１】
右音声の信号と左音声の信号とを含む音声信号を受信して音声出力部から音声を出力するワイヤレスヘッドホンにおいて、前記音声信号が光信号から成るとともに異なる向きに配されて前記音声信号を受信する第１、第２受光部を有し、第１、第２受光部の受信信号のＳ／Ｎ比または信号レベルを比較して、比較結果に基づいて前記音声出力部から右音声と左音声とを切り替えて出力することを特徴とするワイヤレスヘッドホン。
【請求項２】
第１、第２受光部の光軸が前後に延びる一直線上に配され、該光軸に垂直で前記音声出力部の中心を通る垂直面に対して第１、第２受光部を対称に配したことを特徴とする請求項１に記載のワイヤレスヘッドホン。
【請求項３】
第１、第２受光部で受信した一方の受信信号によって他方の受信信号を補完したことを特徴とする請求項１または請求項２に記載のワイヤレスヘッドホン。
【請求項４】
装着時の姿勢を検知する姿勢検知センサを備えたことを特徴とする請求項１〜請求項３のいずれかに記載のワイヤレスヘッドホン。
【請求項５】
第１、第２受光部の受光面前方の遮蔽物をそれぞれ検知する第１、第２遮蔽物検知センサを設けたことを特徴とする請求項１〜請求項４のいずれかに記載のワイヤレスヘッドホン。
【請求項６】
第１、第２受光部の受光面をそれぞれ塞ぐ可動の第１、第２シャッターを設けたことを特徴とする請求項１〜請求項５のいずれかに記載のワイヤレスヘッドホン。
【請求項７】
請求項１〜請求項６のいずれかに記載のワイヤレスヘッドホンを一対設け、それぞれは第１、第２受光部で受信した信号を送信する送信部と、他方の前記送信部の送信信号を受信する受信部とを備え、前記受信部で受信した信号によって同じ側の第１、第２受光部の受信信号を補完したことを特徴とするワイヤレスヘッドホン。
【発明の詳細な説明】
【技術分野】
【０００１】
本発明は、光信号から成る音声信号を受信して音声を出力するワイヤレスヘッドホンに関する。
【背景技術】
【０００２】
従来のワイヤレスヘッドホンは特許文献１に開示されている。このワイヤレスヘッドホンは一対のハウジング内にそれぞれ赤外線の受光素子を有し、音楽再生装置等から送信される光信号から成る音声信号を受信する。受信した音声信号は右音声と左音声とに分離され、一方に設けたスピーカから右音声を出力し、他方に設けたスピーカから左音声を出力する。これにより、ヘッドホンの接続コードによる煩わしさを解消することができる。
【０００３】
また、特許文献２には一対のワイヤレスヘッドホンのそれぞれに左右の音声の出力を切り替える切替ボタンが設けられる。これにより、両耳に各ワイヤレスヘッドホンを装着する際に左右を確認する必要がなく、ワイヤレスヘッドホンの利便性を向上することができる。
【特許文献１】実開平７−１１０９２号公報
【特許文献２】特開２００５−２８６９１９号公報（第８頁−第１３頁、第１図）
【発明の開示】
【発明が解決しようとする課題】
【０００４】
しかしながら、上記特許文献２に記載のワイヤレスヘッドホンによると、ワイヤレスヘッドホンの装着後に切替ボタンの操作を必要とするとともに、左右を誤って切り替える場合がある。これにより、ステレオの音楽等を本来の臨場感で視聴することができない問題があった。
【０００５】
本発明は、使用者の操作を必要とせず利便性を向上できるとともに、右音声と左音声を両耳に正確に伝えることのできるワイヤレスヘッドホンを提供することを目的とする。
【課題を解決するための手段】
【０００６】
上記目的を達成するために本発明は、右音声の信号と左音声の信号とを含む音声信号を受信して音声出力部から音声を出力するワイヤレスヘッドホンにおいて、前記音声信号が光信号から成るとともに異なる向きに配されて前記音声信号を受信する第１、第２受光部を有し、第１、第２受光部の受信信号のＳ／Ｎ比または信号レベルを比較して、比較結果に基づいて前記音声出力部から右音声と左音声とを切り替えて出力することを特徴としている。
【０００７】
この構成によると、音楽再生装置等から右音声の信号と左音声の信号とを多重化した音声信号が赤外線等の光信号により送信される。ワイヤレスヘッドホンを耳に装着すると、第１、第２受光部で光信号が受信され、例えば受信信号のＳ／Ｎ比が比較される。第１、第２受光部は異なる向きに配されるため音楽再生装置等に対する方向が異なり、Ｓ／Ｎ比に差が生じる。そして、例えば第１受光部のＳ／Ｎ比が高いときは右耳に装着されていると判断して音声出力部から右音声が出力される。また、第２受光部のＳ／Ｎ比が高いときは左耳に装着されていると判断して音声出力部から左音声が出力される。
【０００８】
また本発明は、上記構成のワイヤレスヘッドホンにおいて、第１、第２受光部の光軸が前後に延びる一直線上に配され、該光軸に垂直で前記音声出力部の中心を通る垂直面に対して第１、第２受光部を対称に配したことを特徴としている。この構成によると、ワイヤレスヘッドホンを耳に装着した際に第１、第２受光部は前後に並設され、一方が前方に向いて配されて他方が後方に向いて配される。
【０００９】
また本発明は、上記構成のワイヤレスヘッドホンにおいて、第１、第２受光部で受信した一方の受信信号によって他方の受信信号を補完したことを特徴としている。この構成によると、例えば、第１受光部の受信信号に欠損部分があると、第２受光部の受信信号により補完して音声出力部から出力される。
【００１０】
また本発明は、上記構成のワイヤレスヘッドホンにおいて、装着時の姿勢を検知する姿勢検知センサを備えたことを特徴としている。この構成によると、ワイヤレスヘッドホンが上下反対に装着されると姿勢検知センサにより検知される。ワイヤレスヘッドホンが正常な姿勢で装着されると例えば、第１受光部のＳ／Ｎ比が高いときに音声出力部から右音声が出力される。ワイヤレスヘッドホンが上下反対に装着されると第１受光部のＳ／Ｎ比が高いときに音声出力部から左音声が出力される。姿勢検知センサは加速度センサ等により構成される。
【００１１】
また本発明は、上記構成のワイヤレスヘッドホンにおいて、第１、第２受光部の受光面前方の遮蔽物をそれぞれ検知する第１、第２遮蔽物検知センサを設けたことを特徴としている。この構成によると、第１、第２受光部の一方は受光面の前方が耳たぶで覆われ、第１遮蔽物検知センサまたは第２遮蔽物検知センサにより検知される。第１、第２遮蔽物検知センサの検知結果に基づいてワイヤレスヘッドホンが右耳と左耳のどちらに装着されているかが判別される。第１、第２遮蔽物検知センサは光学三角測量方式の測距センサや超音波反射式センサ等により構成される。
【００１２】
また本発明は、上記構成のワイヤレスヘッドホンにおいて、第１、第２受光部の受光面をそれぞれ塞ぐ可動の第１、第２シャッターを設けたことを特徴としている。この構成によると、使用者により例えば、第１シャッターを可動して第１受光部の受光面が塞がれると、第１受光部よりも第２受光部の受信信号のＳ／Ｎ比が高くなる。これにより、右音声及び左音声の一方を使用者が選択して出力させることができる。
【００１３】
また本発明は、上記各構成のワイヤレスヘッドホンを一対設け、それぞれは第１、第２受光部で受信した信号を送信する送信部と、他方の前記送信部の送信信号を受信する受信部とを備え、前記受信部で受信した信号によって同じ側の第１、第２受光部の受信信号を補完したことを特徴としている。
【００１４】
この構成によると、例えば、左耳に装着したワイヤレスヘッドホンの第１、第２受光部の受信信号が送信部により送信され、右耳に装着したワイヤレスヘッドホンの受信部により受信される。これにより、右耳に装着したワイヤレスヘッドホンの第１、第２受光部の受信信号に欠損部分があると、受信部で受信した信号で補完して右耳の音声出力部から出力される。
【発明の効果】
【００１５】
本発明によると、異なる向きに配される第１、第２受光部を有し、第１、第２受光部の受信信号のＳ／Ｎ比または信号レベルの比較結果に基づいて音声出力部から右音声と左音声とを切り替えて出力するので、使用者の操作を必要とせずに右音声と左音声を両耳に正確に伝えることができる。
【００１６】
また本発明によると、第１、第２受光部の光軸が前後に延びる一直線上に配されるので、第１、第２受光部の受信信号のＳ／Ｎ比の差を大きくすることができる。従って、ワイヤレスヘッドホンの装着された側をより正確に判別することができる。また、第１、第２受光部が光軸に垂直で前記音声出力部の中心を通る垂直面に対して対称に配置されるため、左右の耳に装着されるワイヤレスヘッドホン間で第１、第２受光部を同様に配置することができ、ワイヤレスヘッドホンの装着の判別結果が左右で矛盾することを低減できる。
【００１７】
また本発明によると、第１、第２受光部で受信した一方の受信信号によって他方の受信信号を補完したので、音声の欠損を低減してワイヤレスヘッドホンの品質を向上することができる。
【００１８】
また本発明によると、姿勢を検知する姿勢検知センサを備えたので、ワイヤレスヘッドホンを上下反対に装着してもワイヤレスヘッドホンの装着された側を正確に判別することができる。
【００１９】
また本発明によると、第１、第２受光部の受光面前方の遮蔽物をそれぞれ検知する第１、第２遮蔽物検知センサを設けたので、耳たぶを検知してワイヤレスヘッドホンの装着された側をより正確に判別することができる。また、ワイヤレスヘッドホンが装着されているか否かを判断し、自動で電源をＯＮ／ＯＦＦすることで省電力化を図ることができる。
【００２０】
また本発明によると、第１、第２受光部の受光面をそれぞれ塞ぐ可動の第１、第２シャッターを設けたので、音楽再生装置に対して横を向いた場合や背を向けた場合等に使用者の操作によって第１、第２受光部の一方を塞いでワイヤレスヘッドホンの装着された側を正確に判別することができる。従って、ワイヤレスヘッドホンの利便性をより向上することができる。
【００２１】
また本発明によると、両耳に装着された一対のワイヤレスヘッドホンが第１、第２受光部で受信した信号を送信部から送信し、他方の送信部から送信して受信部で受信した信号によって第１、第２受光部の受信信号を補完したので、音声の欠損を低減してワイヤレスヘッドホンの品質をより向上することができる。
【発明を実施するための最良の形態】
【００２２】
以下に本発明の実施形態を図面を参照して説明する。図１、図２は第１実施形態のワイヤレスヘッドホンを示す側面断面図及び上面断面図である。ワイヤレスヘッドホン１０はインナイヤー型に構成され、ハウジング１１で覆われた一端にスピーカ１２（音声出力部）が露出して配される。ハウジング１１内には電池１４及び基板１３が設けられる。
【００２３】
基板１３上には受光部１５、１６及び信号処理回路１７が実装される。受光部１５、１６は光信号から成る音声信号を受信して電気信号に変換する光電変換素子から成り、先端にレンズ等の集光手段１９が設けられている。集光手段１９を含む受光部１５、１６の光軸Ａは平行に配され、受光部１５、１６が上下に並設されている。受光部１５、１６の受光面（不図示）は光軸Ａに垂直で互いに相反する向きに配される。
【００２４】
ハウジング１１には光を透過する透光部１８が設けられる。透光部１８は受光部１５、１６の光軸Ａ上に配され、音声信号が透過して受光部１５、１６で受光可能になっている。透光部１８によって集光手段１９を形成してもよい。
【００２５】
図３は信号処理回路１７のブロック図を示している。信号処理回路１７は復調部３１、３２、判定部３３、制御部３４及び増幅部３５を有している。復調部３１、３２は受光部１５、１６から出力される電気信号を音声多重信号に復調する。判定部３３は復調部３１、３２で復調された音声多重信号のＳ／Ｎ比を比較してＳ／Ｎ比の大小を判定する。制御部３４は判定部３３の判定結果に応じて音声多重信号から右音声または左音声の音声信号を出力する。増幅部３５は制御部３４から出力された音声信号を増幅して出力する。
【００２６】
図４は一対のワイヤレスヘッドホン１０を両耳にそれぞれ装着した状態を示す上面図である。右耳Ｒに装着されたワイヤレスヘッドホン１０は受光部１５の受光面（不図示）が前方に向けて配され、受光部１６の受光面（不図示）が後方に向けて配される。左耳Ｌに装着されたワイヤレスヘッドホン１０は受光部１６の受光面が前方に向けて配され、受光部１５の受光面が後方に向けて配される。
【００２７】
音楽再生装置２０等は右音声の信号と左音声の信号とを多重化した赤外線等の光信号から成る音声信号Ｐを送信する。受光部１５、１６は音声信号Ｐをそれぞれ受光して電気信号に変換して出力する。このとき、受光部１５、１６は相反する向きに配されるため、右耳Ｒのワイヤレスヘッドホン１０は受光部１５の受光量が受光部１６の受光量よりも多くなる。このため、受光部１５の受信信号のＳ／Ｎ比が受光部１６の受信信号のＳ／Ｎ比よりも高くなる。判定部３３によって受光部１５の受信信号のＳ／Ｎ比が高いと判定されると、制御部３４は右耳Ｒに装着されていると判断して右音声を出力する。
【００２８】
同様に、左耳Ｌのワイヤレスヘッドホン１０は受光部１６の受光量が受光部１５の受光量よりも多くなる。このため、受光部１６の受信信号のＳ／Ｎ比が受光部１５の受信信号のＳ／Ｎ比よりも高くなる。判定部３３によって受光部１６の受信信号のＳ／Ｎ比が高いと判定されると、制御部３４は左耳Ｌに装着されていると判断して左音声を出力する。
【００２９】
本実施形態によると、相反する向きに配される受光部１５、１６を有し、受光部１５、１６の受信信号のＳ／Ｎ比の比較結果に基づいてスピーカ１２から右音声と左音声とを切り替えて出力するので、使用者の操作を必要とせずに右音声と左音声を両耳に正確に伝えることができる。
【００３０】
尚、受光部１５、１６は向きが１８０゜異なるように配置されていなくてもよい。即ち、耳に装着した際に受光部１５、１６の一方の受光面が前方を向き、他方の受光面が後方を向くように異なる向きに配置されていればよい。
【００３１】
次に、図５は第２実施形態のワイヤレスヘッドホンを示す上面断面図である。説明の便宜上、前述の図１〜図４に示す第１実施形態と同様の部分には同一の符号を付している。本実施形態は第１実施形態に対して受光部１５、１６の配置が異なっている。その他の部分は第１実施形態と同様である。
【００３２】
受光部１５、１６は光軸Ａが同一直線上に配され、光軸Ａに垂直でスピーカ１２の中心を通る垂直面Ｖに対して面対称に配置されている。受光部１５、１６の光軸Ａが前後に延びる一直線上に配されるので、受光部１５、１６が互いに相反する方向に向いて受信信号のＳ／Ｎ比の差を大きくすることができる。従って、ワイヤレスヘッドホン１０の装着された側を正確に判別することができる。
【００３３】
加えて、左耳Ｌの受光部１５と右耳Ｒの受光部１６が耳に対して同じ位置に配置され、左耳Ｌの受光部１６と右耳Ｒの受光部１５が耳に対して同じ位置に配置される。これにより、左右で同じように音声信号Ｐを受信することができ、ワイヤレスヘッドホン１０が左右のどちら側に装着されているかを略同じ受信条件で判別することができる。従って、判別結果が左右で矛盾することを低減できる。更に、ワイヤレスヘッドホン１０を上下方向に小型化することができる。
【００３４】
次に、図６は第３実施形態のワイヤレスヘッドホンの信号処理部の構成を示すブロック図である。説明の便宜上、前述の図１〜図４に示す第１実施形態と同様の部分には同一の符号を付している。本実施形態は第１実施形態に対して信号処理部１７の構成が異なっている。その他の部分は第１実施形態と同様である。
【００３５】
本実施形態の信号処理部１７は判定部３３と制御部３４との間に補完部５２が設けられている。補完部５２は受光部１５、１６の受信信号を互いに比較して、欠損した情報を補完した信号を出力する。
【００３６】
図７〜図９は補完部５２による信号補完を説明する図である。図７、図８はそれぞれ受光部１５、１６の出力信号の例を示している。図９は補完部５２の出力信号の例を示している。これらの図において、縦軸は信号レベルを示し、横軸は時間を示している。受光部１５、１６の受信信号は光電変換して出力され、判定部３３によってＳ／Ｎ比が比較される。この例の場合は受光部１５の信号レベルが大きくＳ／Ｎ比が大きいため、右耳Ｒに装着されていると判定される。
【００３７】
次に、補完部５２は受光部１５、１６の信号レベルを比較し、受光部１５の出力信号に欠損があるか否かを判別する。この例の場合は図７、図８の比較によって受光部１５の出力信号に欠損があると判別されるため、受光部１６の出力信号によって欠損部分の信号が補完される。この時、受光部１６の出力信号が受光部１５と同程度まで信号レベルを増幅して補完される。そして、図９に示すように、欠損のない信号が補完部５２から出力される。尚、受光部１５の出力信号に欠損がないと判断した場合はそのまま補完部５２から出力される。
【００３８】
本実施形態によると、受光部１５、１６で受信した一方の受信信号によって他方の受信信号を補完したので、音声の欠損を低減してワイヤレスヘッドホン１０の品質を向上することができる。尚、第２実施形態のワイヤレスヘッドホン１０の信号処理部１７を本実施形態と同様に構成してもよい。
【００３９】
次に、図１０は第４実施形態のワイヤレスヘッドホンを示す側面断面図である。説明の便宜上、前述の図１〜図４に示す第１実施形態と同様の部分には同一の符号を付している。本実施形態は第１実施形態に加えて、ワイヤレスヘッドホン１０の装着時の姿勢を検知する姿勢検知センサ７１を備えている。その他の部分は第１実施形態と同様である。
【００４０】
姿勢検知センサ７１は例えば内部に受光素子と発光素子と球体とを備え、球体の位置により受光が遮られる構造のものや、加速度センサにより構成される。判定部３３（図３参照）は受光部１５、１６の受信信号のＳ／Ｎ比及び姿勢検知センサ７１の検知結果に基づいてワイヤレスヘッドホン１０の装着されている側を判別する。
【００４１】
図１１はワイヤレスヘッドホン１０を右耳Ｒに装着した状態を側方から見た図である。姿勢検知センサ７１から受光部１６に向かう方向をＤ１とし、受光部１６から姿勢検知センサ７１に向かう方向をＤ２とする。判定部３３は受信信号のＳ／Ｎ比が受光部１６よりも受光部１５の方が大きい場合には、方向Ｄ２が下向きの時に右耳Ｒに装着されたと判定して方向Ｄ１が下向きの時に左耳Ｌに装着されたと判定する。また、受信信号のＳ／Ｎ比が受光部１５よりも受光部１６の方が大きい場合には、方向Ｄ２が下向きの時に左耳Ｌに装着されたと判定して方向Ｄ１が下向きの時に右耳Ｒに装着されたと判定する。
【００４２】
従って、ワイヤレスヘッドホン１０を上下反対に装着してもワイヤレスヘッドホン１０の装着された側を正確に判別することができる。尚、第２、第３実施形態のワイヤレスヘッドホン１０に姿勢検知センサ７１を設けてもよい。
【００４３】
次に、図１２は第５実施形態のワイヤレスヘッドホンを示す正面断面図である。説明の便宜上、前述の図５に示す第２実施形態と同様の部分には同一の符号を付している。本実施形態は第２実施形態に加えて、受光部１５、１６の受光面前方の遮蔽物をそれぞれ検知する遮蔽物検知センサ９１、９２を備えている。その他の部分は第２実施形態と同様である。
【００４４】
遮蔽物検知センサ９１、９２は、例えば光学三角測量方式の測距センサあるいは超音波方式のセンサなどにより構成される。これにより、遮蔽物の出射光や反射音を検知して受光面の前方（Ｄ３方向またはＤ４方向）数ｍｍ〜数十ｃｍの遮蔽物の有無を判別する。判定部３３（図３参照）は受光部１５、１６の受信信号のＳ／Ｎ比及び遮蔽物検知センサ９１、９２の検知結果に基づいてワイヤレスヘッドホン１０の装着されている側を判別する。
【００４５】
図１３はワイヤレスヘッドホン１０を右耳Ｒに装着した状態を側方から見た図である。ワイヤレスヘッドホン１０を右耳Ｒに装着した場合は、遮蔽物検知センサ９２によって右耳Ｒの耳たぶＲａがＤ４方向の遮蔽物として検知される。この時、遮蔽物検知センサ９１にはＤ３方向の遮蔽物が検知されない。同様に、ワイヤレスヘッドホン１０を左耳Ｌに装着した場合は、遮蔽物検知センサ９１によって左耳Ｌの耳たぶがＤ３方向の遮蔽物として検知される。この時、遮蔽物検知センサ９２にはＤ４方向の遮蔽物が検知されない。
【００４６】
判定部３３は受光部１５、１６の受信信号のＳ／Ｎ比の大小によってワイヤレスヘッドホン１０が装着されている側を判定する。この時、音楽再生装置２０（図４参照）等から送信される光信号の方向に対して真横を向いている時等に、受信信号のＳ／Ｎ比が受光部１５、１６間で所定量以下の差になって大小の判別が困難になる場合がある。また、所定時間内に所定回数以上に頻繁にＳ／Ｎ比の大小関係が反転する場合もある。
【００４７】
このような場合には、遮蔽物検知センサ９１、９２の検知結果に基づいてワイヤレスヘッドホン１０が装着されている側を判定する。即ち、遮蔽物検知センサ９２により遮蔽物を検知した場合は右耳Ｒに装着されていると判定する。また、遮蔽物検知センサ９１により遮蔽物を検知した場合は左耳Ｌに装着されていると判定する。
【００４８】
本実施形態によると、受光部１５、１６の受光面前方の遮蔽物をそれぞれ検知する遮蔽物検知センサ９１、９２を設けたので、音楽再生装置２０等から送信される光信号の方向に対して真横を向いた場合等であっても耳たぶを検知してワイヤレスヘッドホン１０の装着された側を正確に判別することができる。また、ワイヤレスヘッドホン１０が装着されているか否かを判断し、自動で電源をＯＮ／ＯＦＦすることで省電力化を図ることができる。尚、第１、第３、第４実施形態のワイヤレスヘッドホン１０に姿勢検知センサ７１を設けてもよい。
【００４９】
次に、図１４は第６実施形態のワイヤレスヘッドホンを示す正面図である。説明の便宜上、前述の図１〜図４に示す第１実施形態と同様の部分には同一の符号を付している。本実施形態は第１実施形態に加えて、受光部１５、１６に面した透光部１８をそれぞれ遮蔽する可動のシャッター１１１、１１２を備えている。その他の部分は第１実施形態と同様である。
【００５０】
シャッター１１１、１１２は遮光性の材料から成り、使用者の操作によって上下に可動して透光部１８を塞ぐ位置と開放する位置との間を移動する。これにより、使用者は受光部１５、１６の受光面を塞いで光信号から成る音声信号を到達させないようにすることができる。
【００５１】
本実施形態によると、音楽再生装置２０（図４参照）等から送信される光信号の方向に対して真横を向いて、受信信号のＳ／Ｎ比が受光部１５、１６間で所定量以下の差になる場合や、頻繁にＳ／Ｎ比の大小関係が反転する場合に、使用者に対して後方のシャッターを閉じてＳ／Ｎ比の大小を正確に検知することができる。また、音楽再生装置２０等に対して背を向けている場合に使用者に対して後方のシャッターを閉じて左右の誤検知を防止することができる。尚、第２〜第５実施形態のワイヤレスヘッドホン１０にシャッター１１１、１１２を設けてもよい。
【００５２】
次に、図１５は第７実施形態のワイヤレスヘッドホンを示す正面図である。また、図１６はワイヤレスヘッドホンの信号処理部を示すブロック図である。説明の便宜上、前述の図１〜図４に示す第１実施形態と同様の部分には同一の符号を付している。本実施形態は第１実施形態に加えて、通信部１２１を備えている。その他の部分は第１実施形態と同様である。
【００５３】
前述の図４に示すように、ワイヤレスヘッドホン１０は左右１対設けられる。通信部１２１は送信部１２２及び受信部１２３を有している。ワイヤレスヘッドホン１０の制御部３４は受光部１５、１６の受信信号の信号レベルの大きい方を送信部１２２に送り、送信部１２２から送信する。受信部１２３は他方のワイヤレスヘッドホン１０の送信部１２１から送信された信号を受信する。通信部１２１は無線によって送受信しているが、有線によって送受信を行ってもよい。
【００５４】
制御部３４は受光部１５、１６の受信信号の信号レベルと、受信部１２３で受信した信号の信号レベルとを比較し、受光部１５、１６の受信信号に欠損があるか否かを判別する。前述の図７〜図９と同様に、受光部１５、１６の受信信号に欠損があると判別されると、受信部１２３で受信した信号によって欠損部分の信号が補完される。そして、欠損のない信号が制御部３４から出力される。尚、受光部１５、１６の受信信号に欠損がないと判断した場合はそのまま制御部３４から出力される。
【００５５】
本実施形態によると、両耳に装着された一対のワイヤレスヘッドホン１０が受光部１５、１６で受信した信号を送信部１２２から送信し、他方の送信部１２２から送信されて受信部１２３で受信した信号によって受光部１５、１６の受信信号を補完したので、音声の欠損を低減してワイヤレスヘッドホン１０の品質をより向上することができる。尚、第２〜第６実施形態のワイヤレスヘッドホン１０に通信部１２１を設けてもよい。
【００５６】
第１〜第７実施形態において、受光部１５、１６の受信信号のＳ／Ｎ比を比較してワイヤレスヘッドホン１０の装着された側を検知しているが、受光部１５、１６の受信信号の信号レベルを比較してワイヤレスヘッドホン１０の装着された側を検知してもよい。
【産業上の利用可能性】
【００５７】
本発明によると、光信号から成る音声信号を受信して音声を出力するワイヤレスヘッドホンに利用することができる。
【図面の簡単な説明】
【００５８】
【図１】本発明の第１実施形態のワイヤレスヘッドホンを示す側面断面図
【図２】本発明の第１実施形態のワイヤレスヘッドホンを示す上面断面図
【図３】本発明の第１実施形態のワイヤレスヘッドホンの信号処理部を示すブロック図
【図４】本発明の第１実施形態のワイヤレスヘッドホンの装着状態を上から見た図
【図５】本発明の第２実施形態のワイヤレスヘッドホンを示す上面断面図
【図６】本発明の第３実施形態のワイヤレスヘッドホンの信号処理部を示すブロック図
【図７】本発明の第３実施形態のワイヤレスヘッドホンの補完部による信号補完を説明する図
【図８】本発明の第３実施形態のワイヤレスヘッドホンの補完部による信号補完を説明する図
【図９】本発明の第３実施形態のワイヤレスヘッドホンの補完部による信号補完を説明する図
【図１０】本発明の第４実施形態のワイヤレスヘッドホンを示す側面断面図
【図１１】本発明の第４実施形態のワイヤレスヘッドホンの装着状態を横から見た図
【図１２】本発明の第５実施形態のワイヤレスヘッドホンを示す正面断面図
【図１３】本発明の第５実施形態のワイヤレスヘッドホンの装着状態を横から見た図
【図１４】本発明の第６実施形態のワイヤレスヘッドホンを示す正面断面図
【図１５】本発明の第７実施形態のワイヤレスヘッドホンを示す側面断面図
【図１６】本発明の第７実施形態のワイヤレスヘッドホンの信号処理部を示すブロック図
【符号の説明】
【００５９】
１０    ワイヤレスヘッドホン
１１    ハウジング
１２    スピーカユニット
１３    基板
１４    電池
１５、１６  受光素子
１７    信号処理回路
１８    透光部
１９    集光手段
２０    音楽再生装置
３１、３２  復調部
３３    判定部
３４    制御部
３５    増幅部
５２    補完部
７１    姿勢検知センサ
９１、９２  遮蔽物検知センサ
１１１、１１２  シャッター
１２１    通信部
１２２    送信部
１２３    受信部
【図１】
2008103827.tif 000003
【図２】
2008103827.tif 000004
【図３】
2008103827.tif 000005
【図４】
2008103827.tif 000006
【図５】
2008103827.tif 000007
【図６】
2008103827.tif 000008
【図７】
2008103827.tif 000009
【図８】
2008103827.tif 000010
【図９】
2008103827.tif 000011
【図１０】
2008103827.tif 000012
【図１１】
2008103827.tif 000013
【図１２】
2008103827.tif 000014
【図１３】
2008103827.tif 000015
【図１４】
2008103827.tif 000016
【図１５】
2008103827.tif 000017
【図１６】
2008103827.tif 000018